(57)【要約】【課題】施錠装置において、暗い場所でも操作の容易なダイヤル錠を提供する。【解決手段】ダイヤル錠と、スイッチと、前記ダイヤル錠のダイヤル部分を照らす照明装置とを備え、スイッチを操作した時照明装置がダイヤル錠のダイヤル部を照らす。【選択図】図１
2016017399.tif 000002
【特許請求の範囲】
【請求項１】
ダイヤル錠と、スイッチと、前記ダイヤル錠のダイヤル部分を照らす照明装置とを備え、前記スイッチを入れた時、前記照明装置は前記ダイヤル錠のダイヤル部分を照らす施錠装置。
【請求項２】
ダイヤル錠と、振動センサー装置と、前記ダイヤル錠のダイヤル部分を照らす照明装置とを備え、前記振動センサーが振動を感知した時、前記照明装置は前記ダイヤル錠のダイヤル部分を照らす施錠装置。
【請求項３】
ダイヤル錠と、加速度センサー装置と、前記ダイヤル錠のダイヤル部分を照らす照明装置とを備え、前記加速度センサーが加速度の変化を感知した時、前記照明装置は前記ダイヤル錠のダイヤル部分を照らす施錠装置。
【請求項４】
ダイヤル錠と、回転センサー装置と、前記ダイヤル錠のダイヤル部分を照らす照明装置とを備え、前記回転センサーがダイヤルの回転を感知した時、前記照明装置は前記ダイヤル錠のダイヤル部分を照らす施錠装置。
【発明の詳細な説明】
【技術分野】
【０００１】  本発明は、施錠装置に関する。
【背景技術】
【０００２】  従来のダイヤル錠は、ダイヤル部分に照明装置を備えていないものが一般的である。
【先行技術文献】
【特許文献】
【発明の概要】
【発明が解決しようとする課題】
【０００３】  従来のダイヤル錠は、ダイヤル部分に照明装置を備えていないものが一般的である。そのため、暗いところでダイヤルを操作することは困難であった。例えば片手で懐中電灯を持ちながらダイヤルを操作することは困難であった。【０００４】  本発明の目的は、暗いところでも容易に操作可能な施錠装置を提供することである。
【課題を解決するための手段】
【０００５】  上記目的を達成するために、
請求項１にかかる発明は、ダイヤル錠と、スイッチと、前記ダイヤル錠のダイヤル部分を照らす照明装置とを備え、前記スイッチを入れた時、前記照明装置は前記ダイヤル錠のダイヤル部分を照らすことを特徴とする。【０００６】  請求項２にかかる発明は、ダイヤル錠と、振動センサー装置と、前記ダイヤル錠のダイヤル部分を照らす照明装置とを備え、前記振動センサーが振動を感知した時、前記照明装置は前記ダイヤル錠のダイヤル部分を照らすことを特徴とする。【０００７】  請求項３にかかる発明は、ダイヤル錠と、加速度センサー装置と、前記ダイヤル錠のダイヤル部分を照らす照明装置とを備え、前記加速度センサーが加速度の変化を感知した時、前記照明装置は前記ダイヤル錠のダイヤル部分を照らすことを特徴とする。【０００８】  請求項４にかかる発明は、ダイヤル錠と、回転センサー装置と、前記ダイヤル錠のダイヤル部分を照らす照明装置とを備え、前記回転センサーがダイヤルの回転を感知した時、前記照明装置は前記ダイヤル錠のダイヤル部分を照らすことを特徴とする。
【発明の効果】
【０００９】  請求項１にかかる発明によれば、スイッチを操作することによって照明装置がダイヤル部を照らして暗い場所でも容易に施錠・開錠の操作をすることができる。【００１０】  請求項２にかかる発明によれば、振動センサーによってダイヤル錠が手に持たれたことを自動的に感知して照明装置がダイヤル部を照らし、暗い場所でも容易に施錠・開錠の操作をすることができる。【００１１】  請求項３にかかる発明によれば、加速度センサーによってダイヤル錠が手に持たれたことを自動的に感知して照明装置がダイヤル部を照らし、暗い場所でも容易に施錠・開錠の操作をすることができる。【００１２】  請求項４にかかる発明によれば、回転センサーによってダイヤル錠が操作されたことを自動的に感知して照明装置がダイヤル部を照らし、暗い場所でも容易に施錠・開錠の操作をすることができる。
【図面の簡単な説明】
【００１３】
【図１】本発明の第１の実施例の斜視図である。
【図２】本発明の第２の実施例のブロック図である。
【図３】本発明の第３の実施例のブロック図である。
【図４】本発明の第４の実施例のブロック図である。
【発明を実施するための形態】
【００１４】＜第１の実施例＞
図１に本発明の第１の実施例の施錠装置の構成を示す。００１はダイヤル錠、００２はダイヤル錠のダイヤル部分、００３はスイッチ、００４は照明装置である。照明装置００４はスイッチ００３の操作によって点灯・消灯する。スイッチの操作と点灯・消灯の関係は、押している間だけ点灯でもよいし、押してから一定時間点灯して消灯するでもよい。また省エネルギーのため点灯の変わりに点滅動作をしてもよい。
【００１５】  暗い場所で施錠・開錠操作をする時、スイッチ００３を操作する。すると照明装置００４はダイヤル錠００１のダイヤル部分００２を照らす。これによって、暗い場所でも容易に施錠・開錠操作することが可能となる。
【発明を実施するための形態】
【００１６】＜第２の実施例＞
図２に本発明の第２の実施例の施錠装置の構成を示す。０２１は振動センサー装置、０２２は照明装置、０２３は電源である。振動センサー０２１の出力は照明装置０２２の入力に接続される。電源０２３は振動センサー装置０２１の電源入力と照明装置０２２の電源入力に接続される。
【００１７】  振動センサー装置０２１は振動を検出すると、出力信号を発生する。これを受けて照明装置０２２は照明をオンにする。その後一定時間が経つと照明をオフにする。これによって、暗い場所でも容易にダイヤル錠を施錠・開錠操作することが可能となる。
【発明を実施するための形態】
【００１８】＜第３の実施例＞
図３に本発明の第３の実施例の施錠装置の構成を示す。０３１は加速度センサー装置、０３２は照明装置、０３３は電源である。加速度センサー装置０３１の出力は照明装置０３２の入力に接続される。電源０３３は加速度センサー装置０３１の電源入力と照明装置０３２の電源入力に接続される。
【００１９】  加速度センサー装置０３１は加速度の変化を検出すると、出力信号を発生する。これを受けて照明装置０３２は照明をオンにする。その後一定時間が経つと照明をオフにする。これによって、暗い場所でも容易にダイヤル錠を施錠・開錠操作することが可能となる。
【発明を実施するための形態】
【００２０】＜第４の実施例＞
図４に本発明の第４の実施例の施錠装置の構成を示す。０４１は回転センサー装置、０４２は照明装置、０４３は電源である。回転センサー装置０４１の出力は照明装置０４２の入力に接続される。電源０４３は回転センサー装置０４１の電源入力と照明装置０４２の電源入力に接続される。
【００２１】  回転センサー装置０４１は回転を検出すると、出力信号を発生する。これを受けて照明装置０４２は照明をオンにする。その後一定時間が経つと照明をオフにする。これによって、暗い場所でも容易にダイヤル錠を施錠・開錠操作することが可能となる。
【符号の説明】
【００２２】  ００１：ダイヤル錠、００２：ダイヤル錠のダイヤル部分、００３：スイッチ、００４：照明装置
０２１：振動センサー装置、０２２：照明装置、０２３：電源
０３１：加速度センサー装置、０３２：照明装置、０３３：電源
０４１：回転センサー装置、０４２：照明装置、０４３：電源
【図１】
2016017399.tif 000003
【図２】
2016017399.tif 000004
【図３】
2016017399.tif 000005
【図４】
2016017399.tif 000006